(57)【要約】【課題】ドットマトリクス表示機を利用して、変化に富んだ図柄を表示することが可能な遊技機用の表示装置を提供すること。【解決手段】表示装置（１）は、ドットマトリクス表示機（２）と、遊技者の視点から見てドットマトリクス表示機と重なって見えるように配してある透過板（４）と、透過板に光を入射するためのＬＥＤ（６）と、所定の制御手段と、を備えている。透過板（４）の正面には、端面を介して入射したＬＥＤ（６）からの光を拡散させるための複数の凹部（４７）が形成してある。透過板の端面（４５）には、ＬＥＤ（６）から入射した光が透過板の外側へ放射するのを遮るための遮光部材（４９）が設けてある。このような構成によれば、表示装置（１）は、一般的なドットマトリクス表示機と比較して、より変化に富んだ図柄を表示することができる。【選択図】      図３
2005040153.tif 000002
【特許請求の範囲】
【請求項１】
遊技者方向を臨む発光面を有するとともに、当該発光面に複数の発光可能なドットを備えるドットマトリクス表示機と、
遊技者方向を臨む表示面と、当該発光面に対向する対向面と、端面と、を有しており、遊技者の視点から見て当該発光面と重なって見えるように配してある透過板と、
当該端面を介して当該透過板に光を入射するための光源と、
当該ドットマトリクス表示機を制御するためのドット制御手段と、
当該光源を制御するための光源制御手段と、を備え、
当該透過板の表示面及び／又は対向面には、当該光源から端面を介して入射した光を拡散させるための複数の凹部が形成してある
ことを特徴とする遊技機に用いる表示装置。
【請求項２】
前記光源が、色相、彩度及び明度のうちの少なくともいずれか１つにおいて相異なる光を発することが可能に構成してある
ことを特徴とする請求項１に記載した遊技機に用いられる表示装置。
【請求項３】
前記複数の凹部が、前記複数のドットの数と同数形成してあるとともに、前記複数のドットの配置とほぼ同一の配置に配してあり、
前記複数の凹部のそれぞれが、遊技者の視点から見て、対応する前記ドットのそれぞれと重なって見える
ことを特徴とする請求項１又は２に記載した遊技機に用いられる表示装置。
【請求項４】
前記透過板が、厚さ方向において重なる複数の個別透過板により構成してあり、
当該複数の個別透過板のそれぞれには、前記凹部が形成してあり、
前記光源が、当該複数の個別透過板のそれぞれに対応した複数の個別光源により構成してある
ことを特徴とする請求項１乃至３の何れかに記載した遊技機に用いる表示装置。
【請求項５】
前記透過板の端面は、前記光源から発された光を前記透過板の内側に入射させるための入射領域と、当該入射領域以外の非入射領域と、を有しており、
当該非入射領域の少なくとも一部には、前記光源から入射した光が非入射領域を介して透過板の外側へ放射するのを遮るための遮光手段が設けてある
ことを特徴とする請求項１乃至４の何れかに記載した遊技機に用いる表示装置。
【発明の詳細な説明】
【０００１】
【発明の属する技術分野】
この発明は、スロットマシン、パチスロ、パロット（登録商標）、パチンコ機等の遊技機に用いる表示装置に関するものである。
【０００２】
【従来の技術】
従来から、スロットマシンやパチンコ機等の遊技機においては、「ドットマトリクス表示機」と称される表示装置が一般的に用いられている。このようなドットマトリクス表示機は、情報表示媒体として、一般的に複数の単色発光ダイオード（たとえば、赤色発光ダイオード）を有している。これらの複数の単色発光ダイオード（以下、発光ダイオードを、「ＬＥＤ」と称する。）は、全体として表示面（発光面）を形成するように、たとえばマトリクス状に配してある。また、これらの複数の単色ＬＥＤは、それぞれ、所定の制御回路に接続してある。制御回路は、単色ＬＥＤのそれぞれについて、ＯＮ（点灯）／ＯＦＦ（消灯）を個別に制御して、所定のＬＥＤのみを発光させる。以上のようにして、ドットマトリクス表示機は、発光する単色ＬＥＤの組合せから成る図柄を表示する。
【０００３】
しかしながら、遊技機において一般的に用いられている上述したドットマトリクス表示機には、以下のような問題点がある。すなわち、ドットマトリクス表示機は、それぞれのドットのＯＮ／ＯＦＦ状態を制御することによって図柄を表示するように構成されているが、ドットの発光色を制御するようには構成されていない。また、単色ＬＥＤは、複数種類の色の光を発することができるようには構成されていない。そのため、単色発光タイプのＬＥＤを備えるドットマトリクス表示機は、図柄の形状（輪郭）を表示することはできるものの、単調な色の図柄しか表示することができない。
【０００４】
一方、遊技機は、その種類によっては、カラー表示装置を備えている。たとえば、カラー表示装置の１種である「カラー液晶ディスプレイ」は、光の３原色であるＲ（レッド）、Ｇ（グリーン）、Ｂ（ブルーあるいはブルーバイオレット）の３種類のフィルターを用いて、赤・緑・青紫（又は青）のそれぞれのドットをつくり、その組合せで様々な色を表現することができる。したがって、このようなカラー液晶ディスプレイは、ドットマトリクス表示機と比較すると、変化に富んだ図柄を、色彩豊かに表示することが可能である。しかしながら、カラー液晶ディスプレイ等のカラー表示装置は、ドットマトリクス表示機と比較すると、複雑な構造を有しているため高価である。したがって、遊技機のすべてにおいて、表示装置としてカラー表示装置を用いることは難しい。
【０００５】
【発明が解決しようとする課題】
そこで、上述した従来技術の問題点に鑑み、本発明の目的は、一般的なドットマトリクス表示機を利用した表示装置であって、しかも、変化に富んだ図柄を表示することが可能な遊技機用の表示装置を提供することにある。
【０００６】
【課題を解決するための手段】
上記の目的を達成するために本発明は、次の構成を備えている。なお、何れかの請求項に係る発明の説明に当たって行う用語の定義等は、その性質上可能な範囲において他の請求項に係る発明にも適用されるものとする。
【０００７】
（請求項１記載の発明の特徴）
請求項１記載の発明に係る表示装置は、遊技者方向を臨む発光面を有するとともに、当該発光面に複数の発光可能なドットを備えるドットマトリクス表示機と、遊技者方向を臨む表示面と、当該発光面に対向する対向面と、端面と、を有しており、遊技者の視点から見て当該発光面と重なって見えるように配してある透過板と、当該端面を介して当該透過板に光を入射するための光源と、当該ドットマトリクス表示機を制御するためのドット制御手段と、当該光源を制御するための光源制御手段と、を備えている。当該透過板の表示面及び／又は対向面には、当該光源から端面を介して入射した光を拡散させるための複数の凹部が形成してある。なお、表示装置のドットマトリクス表示機が備える複数のドットは、必ずしも規則的な間隔で配してある必要はなく、不規則な間隔で配してあってもよい。また、複数のドットは、必ずしもマトリクス状（たとえばｎ行×ｍ列の行列状）に配してある必要はなく、たとえば、全体として所定の図柄を形成するように配してあってもよい。また、本明細書において、「図柄」とは、形状、模様、及び色彩の何れかから成るもの、または、これらの２以上の組合せから成るもの等をいう。
【０００８】
請求項１の表示装置は、制御方法として、たとえばドットマトリクス表示機のドットがＯＮ状態にあるときであって、光源がＯＦＦ状態にあるときには、透過板を介して、発光するドットの組合せから成る図柄をそのまま表示することができる。また、表示装置は、光源がＯＮ状態にあるときであって、ドットがＯＦＦ状態にあるときには、凹部の組合せから成る図柄をそのまま表示することができる。さらに、表示装置は、光源及びドットの双方がＯＮ状態にあるときには、ドットマトリクス表示機上の図柄と、透過板上の図柄と、を重ね合わせて表示することができる。一方、一般的に用いられているドットマトリクス表示機は、従来技術との関係で説明したように、単色発光するドットの組合せから成る単調な図柄しか表示することができない。したがって、請求項１の表示装置によれば、単色ＬＥＤを備えた一般的なドットマトリクス表示機単体と比較して、変化に富んだ図柄を表示することが可能である。
【０００９】
（請求項２記載の発明の特徴）
請求項２記載の発明に係る表示装置は、請求項１の表示装置であって、前記光源が、色相、彩度及び明度のうちの少なくともいずれか１つにおいて相異なる光を発することが可能に構成してある。なお、請求項２の表示装置において、光源を、相異なる色の光を発することが可能な単体の光源から構成してもよい。また、光源を、相異なる色の光を発することが可能な複数の光源から構成してもよい。あるいは、光源を、前者の光源と、後者の光源との組合せから構成してもよい。ここで、「色（又は色彩）」とは、色相、彩度及び明度から成る三要素によって規定されるものをいう。したがって、たとえば「異なる２種類の色」とは、色相、彩度及び明度のうちの少なくともいずれか１つが相異なる２つの色をいう。このような「異なる２種類の色」の具体例としては、赤・青紫等の明らかに色調の異なる２種類の色や、明度（輝度）の相異なる２種類の赤色等が挙げられる。
【００１０】
請求項２の表示装置によれば、光源の発光色を適宜変化させることによって、複数種類の色彩の図柄を透過板に表示することができる。したがって、請求項２の表示装置は、複数種類の色彩の図柄をドットマトリクス表示機が表示する図柄に混ぜ合わせて表示することも可能であるので、単色光しか発することのできない光源を用いる表示装置と比較して、より変化に富んだ図柄を表示することが可能である。
【００１１】
（請求項３記載の発明の特徴）
請求項３記載の発明に係る表示装置は、請求項１又は２の表示装置であって、前記複数の凹部が、前記複数のドットの数と同数形成してあるとともに、前記複数のドットの配置とほぼ同一の配置に配してあり、前記複数の凹部のそれぞれが、遊技者の視点から見て、対応する前記ドットのそれぞれと重なって見える。
【００１２】
請求項３の表示装置によれば、透過板の凹部の数及び配置が、ドットの数及び配置と同じであるので、ドットマトリクス表示機が表示する内容を、透過板を介してそのまま図柄として表示することができる。すなわち、透過板の凹部の数又は配置を、ドットのそれらと意図的に異ならせることも可能であるが、ドットの数及び配置と一致させることによって透過板自体の個性を失わせて、これにより、ドットマトリクス表示機の表示態様や表示方法等に変化を与える機能のみを、透過板に持たせることも、また、可能である。後者の機能を持った透過板を備えさせることは、ドットマトリクス表示機の本質的な表示内容に変化は与えないが色彩等の変化による表現方法（又は表示態様）に変化を与える。そして、表現方法等の変化が加わることにより、表示装置全体の表示を、より変化に富んだものとすることができる。
【００１３】
（請求項４記載の発明の特徴）
請求項４記載の発明に係る表示装置は、請求項１乃至３の何れかの表示装置であって、前記透過板が、厚さ方向において重なる複数の個別透過板により構成してあり、当該複数の個別透過板のそれぞれには、前記凹部が形成してあり、前記光源が、当該複数の個別透過板のそれぞれに対応した複数の個別光源により構成してある。
【００１４】
請求項４の表示装置が達成する効果を、一例を挙げて説明する。たとえば、透過板が３枚の個別透過板Ａ，Ｂ，Ｃから構成してあり、表示装置が個別透過板Ａ，Ｂ，Ｃに各々対応する３個の個別光源ａ，ｂ，ｃを備えていると仮定する。この場合において、たとえばドットだけがＯＮ状態にあるときは、透過板を介して、発光するドットの組合せから成る図柄をそのまま表示することができる。また、たとえば発光するドット及び個別光源ａがＯＮ状態にあるときは、表示装置は、発光するドットが成す図柄と、個別透過板Ａの凹部が成す図柄と、を重ね合わせて成る図柄を表示することができる。さらに、たとえばドット及びすべての個別光源ａ，ｂ，ｃがＯＮ状態にあるときは、表示装置は、発光するドットが成す図柄と、個別透過板Ａ〜Ｃのそれぞれの凹部が成す図柄と、を重ね合わせて成る図柄を表示することができる。以上の例から分かるように、請求項４の表示装置は、ドット及び個別光源のそれぞれのＯＮ／ＯＦＦを個別に制御することにより、発光するドットが成す図柄、又は何れかの個別透過板の凹部が成す図柄を単独で表示することが可能であり、また、これらの図柄の２以上の任意の組合せを重ねて成る図柄を表示することも可能である。したがって、複数の個別透過板を備えた請求項４の表示装置によれば、単体の透過板しか備えていない表示装置と比較して、より変化に富んだ図柄を表示することが可能である。
【００１５】
（請求項５記載の発明の特徴）
請求項５記載の発明に係る表示装置は、請求項１乃至４の何れかの表示装置であって、前記透過板の端面は、前記光源から発された光を前記透過板の内側に入射させるための入射領域と、当該入射領域以外の非入射領域と、を有しており、当該非入射領域の少なくとも一部には、前記光源から入射した光が非入射領域を介して透過板の外側へ放射するのを遮るための遮光手段が設けてある。
【００１６】
請求項５の表示装置によれば、遮光手段を設けることにより、光源から入射した光を、透過板の内側へ閉じ込めることができる。その結果、凹部において拡散する光量を増やすことができるので、遮光手段を設けない場合と比較して、光を逃がさない分だけより高い輝度で、図柄を透過板の表示面に表示することが可能になる。
【００１７】
【発明の実施の形態】
次に、各図を参照しながら、本発明の実施の形態について説明する。以下、遊技機の一例としてパチンコ機を挙げ、当該パチンコ機に本発明を適用した場合について説明する。まず最初に、図１乃至７に基づいて、第１実施形態について説明する。図１は、第１実施形態に係る表示装置を備えたパチンコ機を示す正面図である。図２は、図１に示す表示装置を詳細に示す正面図と断面図である。この図２において、図２（ａ）は表示装置を示す正面図であり、図２（ｂ）は図２（ａ）のＸ−Ｘ線に沿った断面図である。図３は、図２に示す表示装置の内部構造の概略を示す分解斜視図である。図４は、図３に示す表示装置の透過板を示す断面図及び底面図である。この図４において、図４（ａ）は図３のＹ−Ｙ線に沿った透過板の断面図であり、図４（ｂ）は図３に示す透過板の底面図である。図５は、表示装置の電気的構成を、図１に示すパチンコ機との関係で示すブロック図である。図６は、図１に示すパチンコ機における遊技の流れを示すフローチャートである。図７は、第１実施形態に係る表示装置の使用例を示す図である。
【００１８】
（表示装置を備えたパチンコ機の概略構造）
図１を参照しながら、表示装置を備えたパチンコ機の概略構造について説明する。パチンコ機１００は、パチンコ機１００を設置するための設置フレーム１０２と、設置フレーム１０２に対してヒンジ結合した前面フレーム１０３と、前面フレーム１０３の内側に取り付けた遊技盤１０５と、遊技盤１０５を覆うガラス板１０６と、から概ね構成してある。ガラス板１０６の下方には、賞球を貯めるための賞球皿１０７を取り付けてある。また、賞球皿１０７の右下方向には、ハンドル１０９を取り付けてある。ハンドル１０９は、時計回りの方向（図１において矢印で示す方向）において回転させることができるように構成してあり、遊技者がハンドル１０９を回転させることによって、遊技球を遊技盤１０５方向へ発射できるようになっている。
【００１９】
遊技盤１０５の表面の中央部には、図柄を表示するための表示装置１が設けてある。表示装置１の下方には、特定入賞口１１２が設けてある。特定入賞口１１２には、入賞球を検知するための入賞球検知センサ１３７（図５参照）が取り付けてある。また、表示装置１の周囲には、上記特定入賞口１１２に加えて、特定入賞口１１２とは別の機能を持たせた一般入賞口１１４が複数取り付けてある。
【００２０】
（表示装置の概略構造）
図２乃至４を参照しながら、表示装置１の概略構造について説明する。表示装置１は、図２（ｂ）に示すように、マトリクス状に配してある複数の発光可能なドット（光源）を備えるドットマトリクス表示機２と、透明なアクリル板から成る透過板４と、透過板４に光を入射するための発光ダイオード（ＬＥＤ／光源）６と、ドットマトリクス表示機２及びＬＥＤ６を個別に制御するための回路等を含むモジュール部８（図２（ｂ）参照）と、これらの部品を収容するケース９と、から概ね構成してある。
【００２１】
表示装置１のドットマトリクス表示機２は、図３に示すように、たとえば６行×１３列のマトリクス状に配してある７８個のＬＥＤ（発光可能なドット）２１を備えている。これらのＬＥＤ２１が、遊技者方向を臨む発光面２３を形成している。（以下、透過板４に光を入射するためのＬＥＤ６との混同を避けるために、ドットマトリクス表示機２が有するＬＥＤ２１のそれぞれを、単に「ドット」と称する。）
【００２２】
透過板４は、図２及び３に示すように、遊技者の視点から見てドットマトリクス表示機２の発光面２３と重なって見えるように配してある。したがって、遊技者の側からは、透過板４の表示面４１を見ることができるだけでなく、透過板４を介してドットマトリクス表示機２の発光面２３を見ることができるようになっている。また、図３及び４に示すように、透過板４は、遊技者方向を臨む表示面（正面）４１と、ドットマトリクス表示機２の発光面２３に対向する対向面（背面）４３と、端面４５とを有している。端面４５は、図３及び４（ｂ）に示すように、ＬＥＤ６が発した光を透過板４の内側に入射させるための入射領域４５１と、端面４５上における入射領域４５１以外の領域に相当する非入射領域４５３と、を有し、ＬＥＤ６が発した光は、入射領域４５１を介して、透過板４の内側へ入射するようになっている。一方、非入射領域４５３には、アルミ箔等の光反射部材から成るシール状の遮光部材（遮光手段）４９が設けてある。遮光部材４９は、透過板４の端面４５から出ようとする入射光（ＬＥＤ６から入射した光）を反射することにより、当該入射光を透過板４の内部へ閉じ込める役割を担っている。
【００２３】
透過板４の表示面４１には、図３及び４（ａ）に示すように、ＬＥＤ６から入射領域４５１を介して入射した光を拡散させるための複数の凹部４７が形成してある。凹部４７のそれぞれは、ほぼ矩形の縦断面を有しているとともに、（表示装置１をパチンコ機１００に取り付けた状態において）遊技者方向に開口する形状を有している。このように形成された凹部４７は、ドット２１と同じ数だけ形成してあり、また、ドット２１とほぼ同一の配置に配してある。しかも、凹部４７のそれぞれは、（表示装置１をパチンコ機１００に取り付けた状態において）遊技者の視点から見たときに、透過板４を透して、対応するドット２１のそれぞれと重なって見えるように配してある。
【００２４】
ＬＥＤ６は３個設けてあり、それぞれのＬＥＤ６が、たとえば一般的な単色ＬＥＤから構成してある。これらのＬＥＤ６は、それぞれ、端面４５の入射領域４５１と対向するように、ケース９に収容してある。
【００２５】
なお、透過板４に光を入射させるためのＬＥＤ６の数は、３個に限定されず、たとえば透過板４の寸法や形状等を考慮して、任意に決定することが可能である。したがって、ＬＥＤ６の数は、１個又は２個でもよく、あるいは、４個以上であってもよい。また、透過板４に光を入射させるための光源の種類は、ＬＥＤに限定されず、たとえば遊技機のタイプや、表示すべき図柄等に応じて、任意に決定することが可能である。なお、本発明においては、透過板４に光を入射させるための光源は、ＬＥＤであることが好ましい。ここで、ＬＥＤの消費電力は、一般に同じ光量の電球の消費電力の約５分の１であり、また、その寿命は、一般に同じ光量の電球の消費電力の１０倍以上（種類によっては半永久的）である。したがって、ＬＥＤを用いて光源を構成することにより、光源のすべてを同じ光量の電球から構成する場合と比較して、消費電力が少なく、しかも、長期間に渡って光源の交換が不要な表示装置１を提供することが可能になる。
【００２６】
また、ドットマトリクス表示機２が備える複数のドット２１は、必ずしも規則的な間隔で配してある必要はなく、不規則な間隔で配してあってもよい。さらに、複数のドット２１は、必ずしもマトリクス状（たとえばｎ行×ｍ列の行列状）に配してある必要はなく、たとえば、全体として所定の図柄を成すように配してあってもよい。さらに、複数のドット２１の数は、必ずしも７８個に限定されず、遊技の内容や表示すべき図柄の模様，形状等に応じて増減することも可能である。
【００２７】
また、本発明に係る表示装置１に用いられる透過板４は、無色透明の板が一般的であるが、これに限定されない。たとえば、透過板４は、表示すべき図柄の形状，模様，色彩等に影響を与えない程度であれば、又は、意図的に色を必要とするのであれば、有色透明の材料（例えば、透き通った黄色の透明板）から構成してあってもよい。
【００２８】
また、光を拡散させるための凹部４７を設ける箇所は、透過板４の表示面４１に限定されない。すなわち、透過板４は透明な板から形成してあるので、仮に、凹部４７を対向面４３の側（すなわち、透過板４の背面側）に設けた場合であっても、遊技者側からは凹部４７において拡散する光を視認することが可能である。したがって、凹部４７は、対向面４３に形成してもよく、あるいは、表示面４１及び対向面４３の両面に形成してもよい。
【００２９】
また、凹部４７の形状は、前述した矩形の縦断面を有する形状に限定されない。すなわち、透過板４の内側へ入射した光を拡散させるための端面（凹部を規定する端面）を有している限り、凹部はいかなる形状に形成してあってもよい。ただし、より高い輝度で図柄を表示させる必要がある場合には、凹部は矩形の縦断面を有していることが好ましい。なお、遊技の内容や、表示すべき図柄の形状，模様等によっては、必ずしも、図柄を高輝度で表示させる必要がない場合もある。このような場合には、矩形以外の縦断面を有するような形状（たとえば、抜きテーパ等が付いた形状）に凹部を形成してもよい。
【００３０】
また、ＬＥＤ６から入射した光を透過板４の内側へ閉じ込めるための遮光部材４９は、シール状の光反射部材に限定されない。たとえば、遮光部材４９は、光を反射し得る塗料等を端面４５に塗布することによって形成した塗膜から構成してあってもよい。
【００３１】
（表示装置の電気的構成）
図５を参照しながら、表示装置の電気的構成について説明する。表示装置１は、ドットマトリクス表示機２のドット２１のそれぞれを個別に制御するためのドット制御回路（ドット制御手段）８１と、ＬＥＤ６を制御するためのＬＥＤ制御回路（光源制御手段）８３と、を有している。これらの回路は、図２（ｂ）に示すモジュール部８に収容してある。このような構成を有する表示装置１は、パチンコ機１００に取り付けた状態において、出力インターフェイス１３１を介して、パチンコ機１００のＣＰＵ１３３に電気的に接続するようになっている。具体的には、ドット制御回路８１及びＬＥＤ制御回路８３が、それぞれ、出力インターフェイス１３１を介してＣＰＵ１３３に接続するようになっている。
【００３２】
パチンコ機１００のＣＰＵ１３３は、遊技球が特定入賞口１１２に入賞したときに、入力インターフェイス１３５を介して入賞球検知センサ１３７から所定の検知信号を受信するように構成してある。また、ＣＰＵ１３３は、受信した検知信号に応じて、所定の制御信号を、出力インターフェイス１３１を介して、ドット制御回路８１及びＬＥＤ制御回路８３のそれぞれに送信するように構成してある。
【００３３】
一方、表示装置１のドット制御回路８１は、ＣＰＵ１３３からのドット制御信号に応じて、ドット２１のそれぞれを個別にＯＮ／ＯＦＦ制御できるように構成してある。同様に、ＬＥＤ制御回路８３は、ＣＰＵ１３３からのＬＥＤ制御信号に応じて、ＬＥＤ６をＯＮ／ＯＦＦ制御できるように構成してある。そして、これらのドット制御回路８１及びＬＥＤ制御回路８３は、互いに独立して、上述したＯＮ／ＯＦＦ切替制御を行うことができるようになっている。また、ドット制御回路８１及びＬＥＤ制御回路８３は、上述したＯＮ／ＯＦＦ切替制御を、同時に又は非同時に行うことができるようになっている。
【００３４】
上述した電気的構成を有する表示装置１によれば、ドット２１からの光が形成する図柄と、ＬＥＤ６からの光が形成する図柄と、ドット２１からの光及びＬＥＤ６からの光の組合せ（すなわち、ドット２１からの光と、ＬＥＤ６からの光とが混じり合った光）が形成する図柄と、を遊技の進行状況に応じて個別に表示装置１に表示することが可能である。
【００３５】
（パチンコ機における遊技の流れ）
図６に示すフローチャートを中心に、図１乃至５を参考にしながら、パチンコ機における遊技の流れの一例を説明する。遊技は、遊技者がハンドル１０９を回転させて、遊技球を遊技盤１０５に発射することから始まる。遊技が始まった後、特定入賞口１１２での入賞が検知されるまでの間は、ＬＥＤ６及びドット２１は消灯したままである（Ｓ１の判断Ｎｏ）。遊技球が特定入賞口１１２に入賞したときには、入賞球検知センサ１３７がこの入賞を検知して（Ｓ１の判断Ｙｅｓ）、所定の検知信号をＣＰＵ１３３に送信する。ＣＰＵ１３３は、検知信号の受信タイミングを契機として、所定のプログラムに従って抽選処理を行うとともに、この抽選結果を所定のメモリに格納する。
【００３６】
次に、ＣＰＵ１３３は、入賞に伴う遊技状況確定の有無を判断する（Ｓ３）。このとき、遊技確定無しと判断したときには（Ｓ３の判断Ｎｏ）、ＣＰＵ１３３は、所定のドット制御信号をドット制御回路８１に送信する。ドット制御回路８１は、受信した信号に応じて、複数のドット２１のそれぞれをＯＮ状態に切替える（Ｓ５）。その結果、表示装置１は、透過板４を介して、発光するドット２１の組合せから成る図柄を表示する。この表示を通じて、遊技者は、「入賞」の事実及び「遊技確定無し」の事実を知ることができる。一方、ステップＳ３において、遊技確定有りと判断したときには（Ｓ３の判断Ｙｅｓ）、ＣＰＵ１３３は、ステップＳ３での判断に続いて、メモリに格納してある抽選結果が当選であったのか、又は落選であったのかを判断する（Ｓ７）。
【００３７】
落選である場合には（Ｓ７の判断Ｎｏ）、ＣＰＵ１３３は、「抽選結果が落選であるとともに、遊技確定有りである」と判断して、所定のＬＥＤ制御信号をＬＥＤ制御回路８３に送信する。ＬＥＤ制御回路８３は、受信した信号に応じて、ＬＥＤ６をＯＮ状態に切替える（Ｓ９）。その結果、表示装置１は、光を放射する凹部４７の組合せから成る図柄を透過板４に表示する。この表示を通じて、遊技者は、「抽選結果が落選であるとともに、遊技確定有りである」という事実を知ることができる。
【００３８】
一方、当選である場合には（Ｓ７の判断Ｙｅｓ）、ＣＰＵ１３３は、「抽選結果が当選であるとともに、遊技確定有りである」と判断して、所定のドット制御信号をドット制御回路８１に送信するとともに、所定のＬＥＤ制御信号をＬＥＤ制御回路８３に送信する。ドット制御回路８１は、受信した信号に応じて、複数のドット２１のそれぞれをＯＮ状態に切替え、また、ＬＥＤ制御回路８３は、受信した信号に応じて、ＬＥＤ６をＯＮ状態に切替える（Ｓ１１）。その結果、表示装置１は、ドットマトリクス表示機２が表示する図柄と、透過板４に表示する図柄と、重ね合わせて成る図柄を表示する。この表示を通じて、遊技者は、「抽選結果が当選であるとともに、遊技確定有りである」という事実を知ることができる。
【００３９】
なお、上述した表示装置１による図柄の表示態様（Ｓ５，Ｓ９，Ｓ１１における表示態様）は、単なる一例であって、表示装置１が表示することが可能な図柄の態様を、限定するものではない。たとえば、表示装置１は、ＬＥＤ６及びドット２１の何れか一方、又はこれらの両方を点滅させながら図柄を表示することも可能である。
【００４０】
（使用例１）
図７を参照しながら、単純な使用例との関係で、表示装置１が表示することが可能な図柄について説明する。まず最初に、図７に記載した使用例１について説明する。図７に示す使用例１は、ドットマトリクス表示機２のドット２１に関する光源として、「青紫色」発光が可能なＬＥＤを用いている場合であって、且つ、透過板４へ光を入射するためのＬＥＤ６として、「赤色」発光が可能なＬＥＤを用いている場合を示している。なお、本明細書において、青紫色とは、いわゆるブルー及びブルーバイオレットのいずれの色も含むことに留意されたい。
【００４１】
使用例１の場合において、まずＬＥＤ６及びドット２１の双方がＯＦＦ状態にあるときにドット２１をＯＮ状態に切替えると、ドットマトリクス表示機２の各ドット２１が青色光を発する。その結果、表示装置１は、透過板４を介して、青紫色発光するドット２１の組合せから成る青紫色図柄をそのまま表示する。なお、図６に示すフローチャートとの関係では、表示装置１は、ステップＳ５において、この青紫色図柄を表示することとなる。
【００４２】
一方、ＬＥＤ６及びドット２１の双方がＯＦＦ状態にあるときにＬＥＤ６をＯＮ状態に切替えると、端面４５を介してＬＥＤ６から入射した赤色光が、凹部４７のそれぞれにおいて拡散する。その結果、表示装置１は、赤色光を放射する凹部４７の組合せから成る赤色図柄を表示する。なお、図６に示すフローチャートとの関係では、表示装置１は、ステップＳ９において、この赤色図柄を表示することとなる。
【００４３】
続いて、ＬＥＤ６をＯＮ状態にしたまま、ドット２１をＯＮ状態に切替えると、ドット２１が発した青紫色光が、対応する凹部４７において拡散する赤色光と混ざり合う。その結果、凹部４７及びその近傍から、たとえば赤紫色（赤と青紫が混ざり合って生じる色の一例）の光が放射する。以上のようにして、表示装置１は、青紫色光を発するドット２１の組合せから成る青紫色図柄と、赤色光を放射する凹部４７の組合せから成る赤色図柄と、を組み合わせて（混ぜ合わせて）成る「赤紫」色の図柄を表示する（この関係を図７に示す）。なお、図６に示すフローチャートとの関係では、表示装置１は、ステップＳ１１において、この赤紫色図柄を表示することとなる。
【００４４】
以上、第１実施形態に係る表示装置１が表示することが可能な図柄の一例について説明したが、使用例１において表示装置１が表示することが可能な図柄の色彩は、前述した例に限定されない。すなわち、ドットマトリクス表示機２からの青紫色光の光量と、ＬＥＤ６からの赤色光の光量と、をそれぞれ調節することにより、表示装置１は、たとえば「青紫」色の図柄を表示することも可能である。
【００４５】
（使用例２）
図７に記載した使用例２について説明する。なお、使用例２は、ドット２１の発光色を「青紫」から「赤」に変更した点と、ＬＥＤ６の発光色を「赤」から「緑」に変更した点と、を除いて、前述した使用例１と同じである。
【００４６】
すなわち、使用例２の表示装置１は、透過板４を介して、ドット２１の組合せから成る赤色図柄をそのまま表示することもできるし、また、凹部４７の組合せから成る緑色図柄を表示することもできる。さらに、ＬＥＤ６及びドット２１の双方をＯＮ状態に切替えたときには、表示装置１は、赤色図柄と緑色図柄とを組み合わせて（混ぜ合わせて）成る「黄」色の図柄を表示することもできる。
【００４７】
（使用例３）
図７に記載した使用例３について説明する。なお、使用例３は、ドット２１の発光色を「青紫」から「緑」に変更した点と、ＬＥＤ６の発光色を「赤」から「青紫」に変更した点と、を除いて、前述した使用例１と同じである。
【００４８】
すなわち、使用例３の表示装置１は、透過板４を介して、ドット２１の組合せから成る緑色図柄をそのまま表示することもできるし、また、凹部４７の組合せから成る青紫色図柄を表示することもできる。さらに、ＬＥＤ６及びドット２１の双方をＯＮ状態に切替えたときには、表示装置１は、緑色図柄と青紫色図柄とを組み合わせて（混ぜ合わせて）成る「青緑」色の図柄を表示することもできる。
【００４９】
（本実施形態特有の効果）
以上、第１実施形態に係る表示装置１の構成を説明するとともに、簡単な使用例との関係で、表示装置１の作用について説明した。このような表示装置１によれば、発光するドット２１の組合せから成る図柄をそのまま表示することもできるし、また、凹部４７の組合せから成る図柄をそのまま表示することもできる。さらに、表示装置１は、ＬＥＤ６及びドット２１の双方がＯＮ状態にあるときには、ドットマトリクス表示機２が表示する図柄と、透過板４に表示する図柄と、を重ね合わせて表示することもできる。一方、一般的に用いられているドットマトリクス表示機は、従来技術との関係で説明したように、単色発光するドットの組合せから成る単調な図柄しか表示することができない。したがって、表示装置１によれば、単色ＬＥＤを備えた一般的なドットマトリクス表示機単体と比較して、変化に富んだ図柄を表示することが可能である。
【００５０】
また、第１実施形態に係る表示装置１においては、透過板４の凹部４７の数及び配置が、ドット２１の数及び配置と同じであるので（図３参照）、ドットマトリクス表示機２が表示する内容を、透過板４を介してそのまま図柄として表示することができる。すなわち、透過板４の凹部４７の数又は配置を、ドット２１のそれらと意図的に異ならせることも可能であるが、ドット２１の数及び配置と一致させることによって透過板４自体の個性を失わせて、これにより、ドットマトリクス表示機２の表示態様や表示方法等に変化を与える機能のみを、透過板４に持たせることも、また、可能である。後者の機能を持った透過板４を備えさせることは、ドットマトリクス表示機２の本質的な表示内容に変化は与えないが色彩等の変化による表現方法（又は表示態様）に変化を与える。そして、表現方法等の変化が加わることにより、表示装置１全体の表示を、より変化に富んだものとすることができる。
【００５１】
また、表示装置１は遮光部材４９を備えているので、ＬＥＤ６から入射した光を、透過板４の内側へ閉じ込めることができる。その結果、透過板４の凹部４７において拡散する光量を増やすことができるので、遮光部材４９を設けない場合と比較して、光を逃がさない分だけより高い輝度で、図柄を透過板４の表示面４１に表示することができる。
【００５２】
（第２の実施形態）
第２実施形態に係る表示装置について説明する。なお、第２実施形態に係る表示装置１は、透過板４に光を入射するためのＬＥＤの種類を変更した点を除いて、前述した第１実施形態と同様の構成を有している。したがって、透過板４に光を入射するためのＬＥＤ以外の構成については、その説明を省略する。以下、図８を参照しながら、第２実施形態に係る表示装置が備える多色ＬＥＤの概略構成について説明する。図８は、第２実施形態に係る表示装置が備える多色ＬＥＤ（フルカラーＬＥＤ）の概略構成を示すブロック図である。
【００５３】
図８に示すように、多色ＬＥＤ６ｆは、それぞれ、赤色ＬＥＤチップ６１と、緑色ＬＥＤチップ６２と、青紫色ＬＥＤチップ６３とを有している。これらのチップは、それぞれ、前述したＬＥＤ制御回路８３に接続してある。ＬＥＤ制御回路８３は、ＣＰＵ１３３から所定のＬＥＤ制御信号を受信したときに、信号の内容に応じて、ＬＥＤチップ６１〜６３のそれぞれに流れる電流値の割合を微妙に調整できるように構成してある。このような構成により、多色ＬＥＤ６ｆは、光の３原色である赤色（レッド）・緑色（グリーン）・青紫色（ブルーあるいはブルーバイオレット）のそれぞれの色の光を、該当するＬＥＤチップから発することができるようになっている。
【００５４】
ここで、赤色（Ｒ），緑色（Ｇ），青紫色（Ｂ）の３色の光量（輝度）のそれぞれを独立して制御することにより、人間が判別可能な色のほぼすべてを表現することが可能であることは、一般的に知られている。一方において、上述したように、ＬＥＤチップ６１〜６３のそれぞれが発する光の輝度は、当該ＬＥＤチップのそれぞれに流れる電流値の割合を微妙に制御することによって、調整できるようになっている。したがって、多色ＬＥＤ６ｆを備えた表示装置１によれば、多色ＬＥＤ６ｆの発光色を適宜変化させることによって、複数種類の色彩の図柄を透過板４に表示することができる。また、第２実施形態に係る表示装置１は、複数種類の色彩の図柄をドットマトリクス表示機２が表示する図柄に混ぜ合わせて表示することも可能であるので、”単色”光しか発することのできないＬＥＤ６を用いる表示装置と比較して、より変化に富んだ図柄を表示することが可能である。
【００５５】
（第３の実施形態）
図９を参照しながら、第３実施形態に係る表示装置について説明する。図９は、第３実施形態に係る表示装置の概略構成を示す分解斜視図及び正面図である。図９において、図９（ａ）は、表示装置の内部構造を示す分解斜視図である。一方、図９（ｂ）は、図９（ａ）に示す構成を有する表示装置の正面図であって、図柄を表示している状態を示している。なお、第３実施形態の表示装置は、次に挙げる３点を除いて、前述した第１実施形態に係る表示装置１と同様の構成を有している。すなわち、第１に透過板４の凹部４７の数及び配置を変更した点、第２にドットマトリクス表示機２の各ドットを構成する光源として赤色ＬＥＤを用いている点、及び第３に透過板４に光を入射させるための光源として青紫色ＬＥＤを用いている点が、第１実施形態と異なっている。以下、第１実施形態と同様の構成については、その説明を省略し、第１実施形態との比較において異なる構成及び作用について説明する。
【００５６】
第３実施形態に係る表示装置１において、ドットマトリクス表示機２は、赤色ＬＥＤより構成した複数のドット２１ｒを有している。これらのドット２１ｒは、一例として６行×１３列のマトリクス状に配してある。
【００５７】
ドットマトリクス表示機２の前方に配してある透過板４には、複数の凹部４７が形成してある。これらの凹部４７は、たとえば全体として「Ｖ」字状の形を成すように、ドットマトリクス表示機２のドット２１ｒとほぼ同じ間隔で配してある。表示装置１をパチンコ機１００に取り付けた状態において遊技者の視点から見ると、複数の凹部４７のそれぞれは、透過板４を透して、対応するドット２１ｒのそれぞれとほぼ重なって見えるようになっている。
【００５８】
透過板４に光を入射するためのＬＥＤ６ｂは、青紫色ＬＥＤより構成してある。これらのＬＥＤ６ｂは、それぞれ、第１実施形態と同様に、端面４５の入射領域４５１に対向して配してある。
【００５９】
上述した構成を有する表示装置１において、ＬＥＤ６ｂ及びドット２１ｒの双方がＯＦＦ状態にあるときにドット２１ｒをＯＮ状態に切替えると、ドットマトリクス表示機２の各ドット２１ｒが赤色光を発する。その結果、表示装置１は、透過板４を介して、発光するドット２１ｒの組合せから成る赤色図柄をそのまま表示する。なお、図６に示すフローチャートとの関係では、表示装置１は、ステップＳ５において、この赤色図柄を表示することとなる。
【００６０】
一方、ＬＥＤ６ｂ及びドット２１ｒの双方がＯＦＦ状態にあるときにＬＥＤ６ｂをＯＮ状態に切替えると、端面４５を介してＬＥＤ６ｂから入射した青紫色光が、凹部４７のそれぞれにおいて拡散する。その結果、表示装置１は、青紫色光を放射する凹部の組合せから成る「Ｖ」字状の青紫色図柄を表示する。なお、図６に示すフローチャートとの関係では、表示装置１は、ステップＳ９において、このＶ字状青紫色図柄を表示することとなる。
【００６１】
続いて、ＬＥＤ６ｂをＯＮ状態にしたまま、ドット２１ｒをＯＮ状態に切替えると、表示装置１は、図９（ｂ）に示すような「赤色の地模様の上に浮かび上がる赤紫色のＶ字模様」に関する図柄を表示する。すなわち、図柄のうちの「Ｖ字模様」を成す部分については、ドット２１ｒが発した赤色光と、対応する凹部４７において拡散する青紫色光と、が混ざり合うことによって、表示装置１は、赤紫色のＶ字模様を表示する。また、図柄のうちのＶ字模様を成す部分以外の部分（すなわち「地模様」の部分）については、表示装置１は、透過板４を介して、赤色発光するドット２１ｒの一部が成す地模様をそのまま表示する。その結果、表示装置１は、赤色の地模様と、赤紫色のＶ字模様と、を組み合わせて成る「赤色の地模様の上に浮かび上がる赤紫色のＶ字模様」に関する図柄を表示する。なお、図６に示すフローチャートとの関係では、表示装置１は、ステップＳ１１において、この「浮かび上がるＶ字模様」に関する図柄を表示することとなる。
【００６２】
上述した第３実施形態に係る表示装置１においては、凹部４７の数と、ドット２１ｒの数とを、それぞれ意図的に異ならせている。したがって、ドットマトリクス表示機２が表示する図柄と、透過板４に表示する図柄とを、単独で及び組み合わせて表示することにより、凹部４７の数とドット２１ｒの数とを同一にする場合と比較して、形状や模様等の点においてより変化に富んだ図柄を表示することが可能になる。
【００６３】
（第４の実施形態）
図１０を参照しながら、第４実施形態に係る表示装置について説明する。図１０は、第４実施形態に係る表示装置の概略構成を示す分解斜視図及び正面図である。図１０において、図１０（ａ）は、表示装置の内部構造を示す分解斜視図である。一方、図１０（ｂ）は、図１０（ａ）に示す構成を有する表示装置の正面図であって、図柄を表示している状態を示している。なお、第４実施形態に係る表示装置１は、透過板４に光を入射させるための光源として赤色ＬＥＤ、緑色ＬＥＤ、及び青紫色ＬＥＤを用いている点と、ＬＥＤの配置を変更した点と、を除いて、前述した第３実施形態に係る表示装置１と同様の構成を有している。以下、第３実施形態と同様の構成については、その説明を省略し、第３実施形態との比較において異なる構成及び作用について説明する。
【００６４】
透過板４に光を入射するための光源は、２個の赤色ＬＥＤ６ｒと、２個の緑色ＬＥＤ６ｇと、２個の青紫色ＬＥＤ６ｂと、から構成してある。これらのＬＥＤは、透過板４を両側から挟み込むように、透過板４の端面４５に対向して配してある。また、赤色ＬＥＤ６ｒ、緑色ＬＥＤ６ｇ、及び青紫色ＬＥＤ６ｂは、それぞれ、同色のＬＥＤが透過板４を挟んで対向するように、配してある。なお、ここで説明したＬＥＤ６ｒ，６ｇ，６ｂの配置は、単なる一例に過ぎず、透過板４に光を入射させるためのＬＥＤの配置を限定するものではない。すなわち、表示すべき図柄の模様や色彩等に合わせて、ＬＥＤ６ｒ，６ｇ，６ｂを、それぞれ、所望の位置に配置することが可能である。
【００６５】
上述した構成を有する表示装置１において、ＬＥＤ６ｒ、ＬＥＤ６ｇ、ＬＥＤ６ｂ、及びドット２１ｒのすべてがＯＦＦ状態にあるときにドット２１ｒをＯＮ状態に切替えると、表示装置１は、透過板４を介して、発光するドット２１ｒの組合せから成る赤色図柄をそのまま表示する。なお、図６に示すフローチャートとの関係では、表示装置１は、ステップＳ５において、この赤色図柄を表示することとなる。
【００６６】
一方、ＬＥＤ６ｒ、ＬＥＤ６ｇ、ＬＥＤ６ｂ、及びドット２１ｒのすべてがＯＦＦ状態にあるときにＬＥＤ６ｒ，ＬＥＤ６ｇ，及びＬＥＤ６ｂのそれぞれをＯＮ状態に切替えると、表示装置１は、赤色と緑色と青紫色とが段階的に変化する模様（グラデーション模様）を有する「Ｖ」字状の図柄を表示する。なお、図６に示すフローチャートとの関係では、表示装置１は、ステップＳ９において、この「グラデーション模様を有するＶ字図柄」を表示することとなる。
【００６７】
続いて、ＬＥＤ６ｒ、ＬＥＤ６ｇ及びＬＥＤ６ｂをＯＮ状態にしたまま、ドット２１ｒをＯＮ状態に切替えると、表示装置１は、図１０（ｂ）に示すような「赤色の地模様の上に浮かび上がる虹模様状のＶ字柄」に関する図柄を表示する。すなわち、図柄のうちの「Ｖ字柄」を成す部分については、ドット２１ｒが発した赤色光と、対応する凹部４７において拡散する光（グラデーション模様を形成している様々な色の光）とが混ざり合うことによって、表示装置１は、虹模様状のＶ字柄を表示する。また、図柄のうちのＶ字部分以外の部分（すなわち「地模様」の部分）については、表示装置１は、透過板４を介して、赤色発光するドット２１ｒの一部が成す地模様をそのまま表示する。その結果、表示装置１は、赤色の地模様と、グラデーション模様のＶ字柄と、を組み合わせて成る「赤色の地模様の上に浮かび上がる虹模様状のＶ字柄」に関する図柄を表示する。なお、図６に示すフローチャートとの関係では、表示装置１は、ステップＳ１１において、この「虹模様状のＶ字柄」に関する図柄を表示することとなる。
【００６８】
上述した第４実施形態に係る表示装置１においては、第３実施形態との関係で説明した作用及び効果を奏することができるだけでなく、複数種類の色で彩られた図柄を透過板に表示することもできる。したがって、第４実施形態に係る表示装置１は、複数種類の色彩の図柄をドットマトリクス表示機２が表示する図柄に混ぜ合わせて表示することも可能であるので、単色光しか発することのできない光源（透過板４用の光源）を用いる表示装置と比較して、より変化に富んだ図柄を表示することが可能である。
【００６９】
（第５の実施形態）
図１１を参照しながら、第５実施形態に係る表示装置について説明する。図１１は、第５実施形態に係る表示装置の概略構成を示す分解斜視図及び正面図である。図１１において、図１１（ａ）は、表示装置の内部構造を示す分解斜視図である。一方、図１１（ｂ）は、図１１（ａ）に示す構成を有する表示装置の正面図であって、図柄を表示している状態を示している。なお、第５実施形態の表示装置１は、透過板４に光を入射させるための光源として高輝度赤色ＬＥＤを用いている点を除いて、前述した第３実施形態に係る表示装置１と同様の構成を有している。以下、第３実施形態と同様の構成については、その説明を省略し、第３実施形態との比較において異なる構成及び作用について説明する。
【００７０】
透過板４に光を入射するための光源は、３個の高輝度赤色ＬＥＤ６ｒ’より構成してある。高輝度赤色ＬＥＤ６ｒ’は、ドットマトリクス表示機２のドット２１ｒと比較して、より高い輝度を有する赤色光を発することができるように構成してある。
【００７１】
上述した構成を有する表示装置１において、ＬＥＤ６ｒ’及びドット２１ｒの双方がＯＦＦ状態にあるときにドット２１ｒをＯＮ状態に切替えると、表示装置１は、透過板４を介して、発光するドット２１ｒの組合せから成る赤色図柄をそのまま表示する。なお、図６に示すフローチャートとの関係では、表示装置１は、ステップＳ５において、この赤色図柄を表示することとなる。
【００７２】
一方、ＬＥＤ６ｒ’及びドット２１の双方がＯＦＦ状態にあるときにＬＥＤ６ｒ’をＯＮ状態に切替えると、端面４５を介してＬＥＤ６ｒ’から入射した高輝度赤色光が、凹部４７のそれぞれにおいて拡散する。その結果、表示装置１は、高輝度の赤色で彩られた「Ｖ」字状の図柄を表示する。なお、図６に示すフローチャートとの関係では、表示装置１は、ステップＳ９において、この高輝度赤色の「Ｖ」字状図柄を表示することとなる。
【００７３】
続いて、ＬＥＤ６ｒ’をＯＮ状態にしたまま、ドット２１ｒをＯＮ状態に切替えると、表示装置１は、図１１（ｂ）に示すような「赤色の地模様の上に浮かび上がる高輝度赤色のＶ字模様」に関する図柄を表示する。すなわち、図柄のうちの「Ｖ字模様」を成す部分については、ドット２１ｒが発した赤色光と、対応する凹部４７において拡散する高輝度赤色光とが混ざり合うことによって、表示装置１は、地模様となる部分の赤色よりも高輝度の赤色のＶ字模様を表示する。また、図柄のうちのＶ字模様を成す部分以外の部分（すなわち「地模様」の部分）については、表示装置は、透過板４を介して、赤色発光するドット２１ｒが成す地模様をそのまま表示する。その結果、表示装置１は、赤色の地模様と、高輝度赤色のＶ字模様と、を組み合わせて成る「赤色の地模様の上に浮かび上がる高輝度赤色のＶ字模様」に関する図柄を表示する。なお、図６に示すフローチャートとの関係では、表示装置１は、ステップＳ１１において、この「赤色の地模様の上に浮かび上がる高輝度赤色のＶ字模様」に関する図柄を表示することとなる。
【００７４】
上述した第５実施形態に係る表示装置によれば、第３実施形態に係る表示装置と同様に、ドットマトリクス表示機２が表示する図柄と、透過板４に表示する図柄とを、単独で及び組み合わせて表示することにより、変化に富んだ図柄を表示することが可能になる。
【００７５】
（第６の実施形態）
図１２を参照しながら、第６実施形態に係る表示装置について説明する。図１２は、第６実施形態に係る表示装置の内部構造の概略を示す分解斜視図である。なお、第６実施形態の表示装置は、次に挙げる５点を除いて、前述した第１実施形態に係る表示装置１と同様の構成を有している。すなわち、第１にドットマトリクス表示機のドットの数を変更した点と、第２にドットマトリクス表示機の各ドットを構成する光源として青紫色ＬＥＤを用いている点と、第３に透過板の構成を変更した点と、第４に透過板に形成する凹部の数及び配置を変更した点と、第５に透過板に光を入射させるための光源として多色ＬＥＤを用いている点が、第１実施形態と異なっている。以下、第１実施形態と同様の構成については、その説明を省略し、第１実施形態との比較において異なる構成及び作用について説明する。なお、以下に説明する第６実施形態においては、「青紫色」ＬＥＤを、ドットマトリクス表示機の各ドットを構成するための単なる一例として用いているに過ぎない。したがって、ドットマトリクス表示機の各ドットを、青紫色ＬＥＤの代わりに、赤色ＬＥＤ又は緑色ＬＥＤから構成することも可能である。あるいは、ドットマトリクス表示機の各ドットを、多色ＬＥＤから構成することも可能である。
【００７６】
ドットマトリクス表示機２ｂは、たとえば３２列×１６行のマトリクス状に配してある５１２個のドット２１ｂを備えており、これらのドット２１ｂが発光面２３を成している。ドット２１ｂのそれぞれは、青紫色ＬＥＤより構成してある。
【００７７】
ドットマトリクス表示機２ｂの発光面２３の前方には、透過板４が配してある。透過板４は、第１の個別透過板４ａ、第２の個別透過板４ｂ、及び第３の個別透過板４ｃから構成してあり、それぞれの個別透過板は、たとえば３ｍｍ程度の厚さを有している。これらの個別透過板４ａ〜４ｃは、一例として、他方の個別透過板との間に２ｍｍ程度の間隔を空けて配置してあるとともに、厚さ方向において重なって見えるようにケース９に収容してある。
【００７８】
上述した第１の個別透過板４ａ、第２の個別透過板４ｂ、及び第３の個別透過板４ｃには、複数のドット状凹部４７ａ，４７ｂ，４７ｃが、各々形成してある。これらの個別透過板４ａ〜４ｃに形成してある凹部４７ａ〜４７ｃは、それぞれ、相異なる図柄を成している。具体的には、第１の個別透過板４ａに形成してある凹部４７ａは、全体として「ＣＨＡＮＣＥ」の単語を示す図柄を成している。第２の個別透過板４ｂに形成してある凹部４７ｂは、全体として、りんごの形状を示す図柄（りんご図柄）を成している。第３の個別透過板４ｃに形成してある凹部４７ｃは、全体として、星の形状を示す図柄（星図柄）を成している。
【００７９】
第１の個別透過板４ａの端面４５に対向する位置には、２個の多色ＬＥＤ６１ｆから成る１組の光源が設けてある。同様に、第２の個別透過板４ｂの端面４５に対向する位置には、２個の多色ＬＥＤ６２ｆから成る１組の光源が設けてあり、また、第３の個別透過板４ｃの端面４５に対向する位置には、２個の多色ＬＥＤ６３ｆから成る１組の光源が設けてある。多色ＬＥＤ６１ｆ〜６３ｆのそれぞれは、第２実施形態との関係で説明した多色ＬＥＤと同様の構成を有している（図８参照）。
【００８０】
（第６の実施形態における図柄表示の例）
図１２及び１３を参照しながら、第６実施形態に係る表示装置が表示することが可能な図柄の一例について説明する。図１３は、第６実施形態に係る表示装置を示す正面図であり、表示装置が遊技の進行状況に応じて異なる図柄を表示している状態を示している。
【００８１】
まず、多色ＬＥＤ６１ｆ，６２ｆ，６３ｆ、及びドット２１ｂのすべてがＯＦＦ状態にあるときに所定のドット２１ｂをＯＮ状態に切替えると、該当する位置のドット２１ｂが青紫色光を発する。その結果、表示装置１は、透過板４を介して、たとえば、壷の図柄と、壷を指差す女の子の図柄と、女の子に付属する疑問符の図柄と、の組合せから成る図柄を表示する（図１２参照）。このような図柄を遊技者側から見たときに、遊技者は、表示装置１が「女の子が壷の中身について質問する」様子を示す青紫色図柄（以下、「ベース図柄」と称する。）を表示している事実を知ることができる。
【００８２】
続いて、多色ＬＥＤ６１ｆ（第１の個別透過板４ａに対応したＬＥＤ）をＯＮ状態に切替えると、表示装置１は、青紫色のベース図柄と、多色光（多色ＬＥＤから発された多様な色の光）を放射する「ＣＨＡＮＣＥ」図柄と、を組み合わせて成る図柄を表示する（図１３（ａ）参照）。なお、図６に示すフローチャートとの関係では、表示装置１は、たとえば、ステップＳ５においてこの図柄を表示するようにしてもよい。
【００８３】
続いて、多色ＬＥＤ６１ｆをＯＦＦ状態に切替えるとともに、多色ＬＥＤ６２ｆ（第２の個別透過板４ｂに対応した多色ＬＥＤ）をＯＮ状態に切替えると、表示装置１は、青紫色のベース図柄と、多色光を放射する「りんご」図柄と、を組み合わせて成る図柄を表示する（図１３（ｂ）参照）。なお、図６に示すフローチャートとの関係では、表示装置１は、たとえば、ステップＳ９においてこの図柄を表示するようにしてもよい。
【００８４】
続いて、多色ＬＥＤ６２ｆをＯＦＦ状態に切替えるとともに、多色ＬＥＤ６３ｆ（第３の個別透過板４ｃに対応した多色ＬＥＤ）をＯＮ状態に切替えると、表示装置１は、青紫色のベース図柄と、多色光を放射する「星」図柄と、を組み合わせて成る図柄を表示する（図１３（ｂ）参照）。なお、図６に示すフローチャートとの関係では、表示装置１は、たとえば、ステップＳ１１においてこの図柄を表示するようにしてもよい。
【００８５】
上述した第６実施形態に係る表示装置１によれば、ドット２１ｂ及び多色ＬＥＤ６１ｆ〜６３ｆのそれぞれのＯＮ／ＯＦＦを個別に制御することにより、発光するドット２１ｂが成す図柄、又は個別透過板４ａ〜４ｃの何れかの凹部が成す図柄を単独で表示することも可能であるし、また、これらの図柄の２以上の任意の組合せを重ねて表示することも可能である。したがって、第６実施形態に係る表示装置１によれば、単体の透過板しか備えていない表示装置と比較して、より変化に富んだ図柄を表示することが可能である。
【００８６】
なお、第６実施形態との関係で説明した個別透過板の数、形状、寸法等は、一例に過ぎず、個別透過板の態様を限定するものではない。すなわち、遊技者の視点から見て、透過板４を透してドットマトリクス表示機２ｂが表示する図柄を視認することができる限り、透過板４は、いかなる枚数の個別透過板を有していてもよく、また、各個別透過板は、いかなる形状，寸法を有していてもよい。
【００８７】
また、前述した例は、第６実施形態に係る表示装置が表示することが可能な図柄の内容、図柄の表示方法、図柄の表示態様等を、限定するものではない。たとえば、第６実施形態に係る表示装置は、個別透過板４ａ〜４ｃの何れか又はこれらの任意の組合せを、同時に又は非同時に点滅させることによって、図柄を表示してもよい。また、たとえば、第６実施形態に係る表示装置は、多色ＬＥＤ６１ｆ，６２ｆ，６３ｆの何れか又２以上の発光色を連続的に変化させながら、図柄を表示するようにしてもよい。
【００８８】
（その他の実施形態）
前述した第１乃至第６の実施形態は、遊技機がパチンコ機である場合について説明した。しかしながら、前述した実施形態は、本発明から、パチンコ機以外の遊技機（たとえばスロットマシン等）を排除する趣旨ではない。すなわち、本発明は、パチンコ機以外の遊技機にも適用することができることに留意されたい。
【００８９】
【発明の効果】
本発明の表示装置は、たとえばドットマトリクス表示機のドットがＯＮ状態にあるときであって、光源がＯＦＦ状態にあるときには、透過板を介して、発光するドットの組合せから成る図柄をそのまま表示することができる。また、表示装置は、光源がＯＮ状態にあるときであって、ドットがＯＦＦ状態にあるときには、凹部の組合せから成る図柄をそのまま表示することができる。さらに、表示装置は、光源及びドットの双方がＯＮ状態にあるときには、ドットマトリクス表示機上の図柄と、透過板上の図柄と、を重ね合わせて表示することができる。一方、一般的に用いられているドットマトリクス表示機は、従来技術との関係で説明したように、単色発光するドットの組合せから成る単調な図柄しか表示することができない。したがって、本発明の表示装置によれば、単色ＬＥＤを備えた一般的なドットマトリクス表示機単体と比較して、変化に富んだ図柄を表示することが可能である。
【図面の簡単な説明】
【図１】第１実施形態に係る表示装置を備えたパチンコ機を示す正面図である。
【図２】図１に示す表示装置を詳細に示す正面図及び断面図である。
【図３】図２に示す表示装置の内部構造を示す分解斜視図である。
【図４】図３の表示装置が有する透過板を詳細に示す図である。
【図５】表示装置の電気的構成を、図１に示すパチンコ機との関係で示すブロック図である。
【図６】図１に示すパチンコ機における遊技の流れを示すフローチャートである。
【図７】第１実施形態に係る表示装置の使用例を示す図である。
【図８】第２実施形態に係る表示装置が備える多色ＬＥＤ（フルカラーＬＥＤ）の概略構成を示すブロック図である。
【図９】第３実施形態に係る表示装置の概略構成を示す図である。
【図１０】第４実施形態に係る表示装置の概略構成を示す図である。
【図１１】第５実施形態に係る表示装置の概略構成を示す図である。
【図１２】第６実施形態に係る表示装置の内部構造を示す分解斜視図である。
【図１３】第６実施形態に係る表示装置を示す正面図であり、表示装置が遊技の進行状況に応じて異なる図柄を表示している状態を示している。
【符合の説明】
１          表示装置
２          ドットマトリクス表示機（第１〜第５の実施形態）
２ｂ        ドットマトリクス表示機（第６の実施形態）
２１        ドット（ＬＥＤ／発光ダイオード）
２１ｒ      赤色ドット（赤色ＬＥＤ／赤色発光ダイオード）
２１ｂ      青紫色ドット（青紫色ＬＥＤ／青紫色発光ダイオード）
２３        発光面
４          透過板
４ａ        第１の個別透過板
４ｂ        第２の個別透過板
４ｃ        第３の個別透過板
４１        表示面（正面）
４３        対向面（背面）
４５        端面
４５１      入射領域
４５３      非入射領域
４７        凹部
４７ａ      凹部（個別透過板４ａの凹部）
４７ｂ      凹部（個別透過板４ｂの凹部）
４７ｃ      凹部（個別透過板４ｃの凹部）
４９        遮光部材（遮光手段）
６          光源（ＬＥＤ／発光ダイオード）
６ｒ        赤色ＬＥＤ（赤色発光ダイオード）
６ｒ’      高輝度赤色ＬＥＤ（高輝度赤色発光ダイオード）
６ｇ        緑色ＬＥＤ（緑色発光ダイオード）
６ｂ        青紫色ＬＥＤ（青紫色発光ダイオード）
６ｆ        多色ＬＥＤ（多色発光ダイオード／フルカラーＬＥＤ）
６１ｆ      多色ＬＥＤ（多色発光ダイオード／フルカラーＬＥＤ）
６２ｆ      多色ＬＥＤ（多色発光ダイオード／フルカラーＬＥＤ）
６３ｆ      多色ＬＥＤ（多色発光ダイオード／フルカラーＬＥＤ）
６１        赤色ＬＥＤチップ
６２        緑色ＬＥＤチップ
６３        赤色ＬＥＤチップ
８          モジュール部
８１        ドット制御回路
８３        ＬＥＤ制御回路
９          ケース
１００      パチンコ機（遊技機）
１０２      設置フレーム
１０３      前面フレーム
１０５      遊技盤
１０６      ガラス板
１０７      賞球皿
１０９      ハンドル
１１２      特定入賞口
１１４      一般入賞口
１３１      出力インターフェイス
１３３      ＣＰＵ
１３５      入力インターフェイス
１３７      入賞球検知センサ
【図１】
2005040153.tif 000003
【図２】
2005040153.tif 000004
【図３】
2005040153.tif 000005
【図４】
2005040153.tif 000006
【図５】
2005040153.tif 000007
【図６】
2005040153.tif 000008
【図７】
2005040153.tif 000009
【図８】
2005040153.tif 000010
【図９】
2005040153.tif 000011
【図１０】
2005040153.tif 000012
【図１１】
2005040153.tif 000013
【図１２】
2005040153.tif 000014
【図１３】
2005040153.tif 000015